(57)【要約】      （修正有）【課題】うちわ等の平坦な部材を収納するための平坦部材収納具であって、平坦部材を傷つけることなく収納、保管することができる平坦部材収納具を提供する。【解決手段】前シート２と後シート４を有するとともに上端６Ｄが開放された袋状の本体６を備え、本体６の下端６Ａには、本体６の内部に連通する連通孔８が形成されている。本体６には、他の平坦部材収納具１と連結するための係合孔１２，１４及びこれらの係合孔１２，１４に係合する爪状部１６，１８が形成されている。本体には、他の平坦部材収納具１と連結するための他の連結手段として連結孔３６，３８が形成されている。【選択図】図１
0003209081.tif 000002
【実用新案登録請求の範囲】
【請求項１】
前シートと後シートを有するとともに一端側が開放された、平坦部材を収納するための袋状の本体を備え、
前記本体の前記一端側と対向する他端側には、前記本体の内部に連通する連通孔が形成されている、
ことを特徴とする平坦部材収納具。
【請求項２】
前記本体の開放された前記一端側には、前記連通孔から突出した前記平坦部材の一部が挿通される挿通孔が形成されている、
請求項１に記載の平坦部材収納具。
【請求項３】
前記本体には、他の前記平坦部材収納具の前記本体を連結するための連結手段が設けられている、
請求項１または請求項２に記載の平坦部材収納具。
【請求項４】
前記連結手段は、前記平坦部材収納具及び前記他の平坦部材収納具のいずれか一方の前記本体に設けられた係合孔と、いずれか他方の前記本体に設けられ前記係合孔に係合する爪状部と、を有する、
請求項３に記載の平坦部材収納具。
【請求項５】
前記係合孔は略台形に形成され、前記爪状部は、台形の前記係合孔の上辺に対応する幅寸法を有するとともに前記上辺に向かって突出する円弧状の第１爪状部と、前記係合孔の下辺に対応する幅寸法を有するとともに前記下辺に向かって突出する円弧状の第２爪状部とを有する、
請求項４に記載の平坦部材収納具。
【請求項６】
前記係合孔及び／又は前記爪状部は、前記前シート及び前記後シートのいずれか一方に形成され、前記前シート及び前記後シートのいずれか他方には、前記係合孔及び／又は前記爪状部を囲むように形成された包囲孔または前記係合孔及び／又は前記爪状部を避けるように形成された切欠が形成されている、
請求項４または請求項５に記載の平坦部材収納具。
【請求項７】
前記係合孔は、前記本体の開放された前記一端側と前記他端側とを結んだ線に対して一方側の端部に形成され、前記爪状部は、他方側の端部に形成される、
請求項４から請求項６のいずれか１項に記載の平坦部材収納具。
【請求項８】
前記係合孔及び前記爪状部のいずれか一方は、前記本体の前記一端側の端部に形成され、いずれか他方は、前記本体の前記他端側の端部に形成される、
請求項４から請求項７のいずれか１項に記載の平坦部材収納具。
【請求項９】
前記連結手段は、前記平坦部材収納具に形成された連結孔を有する、
請求項３から請求項８のいずれか１項に記載の平坦部材収納具。
【請求項１０】
前記連結孔は、前記本体の開放された前記一端側の端部に、及び／又は前記本体の開放された前記一端側と前記他端側とを結んだ線に対して一方側または他方側の端部に、複数形成されている、
請求項９に記載の平坦部材収納具。
【考案の詳細な説明】
【技術分野】
【０００１】
本考案は、例えばうちわ等の平坦部材を収納するための平坦部材収納具に関する。
【背景技術】
【０００２】
従来、うちわ等の平坦部材を収納するケースとして、例えば特許文献１に記載されたものがある。この特許文献１に記載されたうちわ用ケースは、うちわの形に対応した形の収納袋であり、ファスナー式で開閉することができる。またベルトを取り付けることにより、うちわをケースに収納した状態で持ち運びすることができる。
【先行技術文献】
【特許文献】
【０００３】
【特許文献１】特開２０１０−２５９７５３号公報
【考案の概要】
【考案が解決しようとする課題】
【０００４】
ところで、例えばコンサート等のイベントの参加者は、イベントで販売しているうちわを購入してコレクションすることがある。この場合、購入したうちわを部屋に飾ったり、きれいな状態で保管したいという要望がある。
本考案の目的は、うちわのような平坦な平坦部材を傷つけることなく収納し保管することができる平坦部材収納具を提供することにある。
【課題を解決するための手段】
【０００５】
上記の目的を達成するために、本考案の平坦部材収納具は、前シートと後シートを有するとともに一端側が開放された、平坦部材を収納するための袋状の本体を備え、本体の一端側と対向する他端側には、本体の内部に連通する連通孔が形成されている、ことを特徴としている。
このように構成された本考案においては、本体が袋状に形成され、本体の他端側に連通孔が形成されているので、平坦部材を本体に収納可能となる。よって平坦部材を傷つけることなく収納し、またその状態で保管することが可能になる。
また、例えば平坦部材がうちわである場合には、うちわの扇部分を袋状の本体に収納し、柄の部分を連通孔から外部に突出させれば、うちわの最も傷つきやすい扇部分を保護することが可能になるとともに平坦部材収納具がコンパクトに形成されるから、収納、保管が容易になる。
【０００６】
本考案では、本体の開放された一端側には、連通孔から突出した平坦部材の一部が挿通される挿通孔が形成されていることが好ましい。
このように構成された本考案では、本体の一端側に挿通孔が形成されているので、例えば平坦部材を本体に収納した際に平坦部材の一部が連通孔から突出していると、平坦部材収納具を並べた際に、突出した平坦部材の一部が隣接する平坦部材に重なってしまう場合がある。特に、平坦部材がうちわである場合には、うちわの柄の部分が隣接するうちわの扇部分にかぶさり、扇部分の模様が隠れてしまう。本発明では、本体の一端側に挿通孔が形成されているので、この挿通孔に平坦部材の一部を挿通することにより、平坦部材の一部が隣接する平坦部材収納具に収納された平坦部材の後側に配置して平坦部材の表側に重なるのを防止することができる。
【０００７】
本考案では、本体には、他の平坦部材収納具の本体を連結するための連結手段が設けられていることが好ましい。
このように構成された本考案では、連結手段が設けられているので、複数の平坦部材を収納して、連結した状態で展示することが可能になる。
【０００８】
本考案では、連結手段は、平坦部材収納具及び他の平坦部材収納具のいずれか一方の本体に設けられた係合孔と、いずれか他方の本体に設けられ係合孔に係合する爪状部と、を有することが好ましい。
このように構成された本考案では、連結手段が、係合孔と爪状部とを有しているので、爪状部を係合孔に係合させることによって平坦部材収納具同士を連結することができ、複数の平坦部材を連結した状態で展示することが可能になる。
【０００９】
本考案では、係合孔は略台形に形成され、爪状部は、台形の係合孔の上辺に対応する幅寸法を有するとともに上辺に向かって突出する円弧状の第１爪状部と、係合孔の下辺に対応する幅寸法を有するとともに下辺に向かって突出する円弧状の第２爪状部とを有することが好ましい。
このように構成された本考案では、係合孔が略台形に形成され、爪状部は、第１爪状部と第２爪状部とを有するので、平坦部材収納具同士を連結する際には、第１爪状部を係合孔の台形の上辺に係合させ、第２爪状部を下辺に係合させる。第１爪状部が係合孔の上辺に対応する幅に形成され、第２爪状部が下辺に対応する幅に形成されているので、第１及び第２の爪状部をどちらの向きに係合させるかわかりやすくなり、平坦部材収納具の連結が容易になる。
【００１０】
本考案では、係合孔及び／又は爪状部は、前シート及び後シートのいずれか一方に形成され、前シート及び後シートのいずれか他方には、係合孔及び／又は爪状部を囲むように形成された包囲孔または係合孔及び／又は爪状部を避けるように形成された切欠が形成されていることが好ましい。
このように構成された本考案では、係合孔及び／又は爪状部を囲むように形成された包囲孔または係合孔及び／又は爪状部を避けるように形成された切欠が形成されているので、平坦部材収納具の一部を他の平坦部材収納具の一部に重ねて爪状部を係合孔に係合させる際、爪状部が係合する必要があるシートの枚数が低減するから爪状部が係合孔に確実に係合するようになる。それにより、係合孔及び爪状部の結合がより強固になり、外れにくくなる。
【００１１】
本考案では、係合孔は、本体の開放された一端側と他端側とを結んだ線に対して一方側の端部に形成され、爪状部は、他方側の端部に形成されることが好ましい。
このように構成された本考案では、係合孔及び爪状部が、本体の開放された一端側と他端側とを結んだ線に対して互いに反対側の端部に形成されているので、爪状部を係合孔に係合させると、平坦部材収納具が、本体の一端側と他端側とを結んだ線に対して横方向に連結される。よって複数の平坦部材を横方向に並べて展示することが可能になる。
【００１２】
本考案では、係合孔及び爪状部のいずれか一方は、本体の一端側の端部に形成され、いずれか他方は、本体の他端側の端部に形成されることが好ましい。
このように構成された本考案では、係合孔及び爪状部が、本体の一端側の端部または他端側の端部にそれぞれ形成されるので、爪状部を係合孔に係合させると、平坦部材収納具が、本体の一端側と他端側とを結んだ線に沿って縦方向に連結される。よって複数の平坦部材を縦方向に並べて展示することが可能になる。
【００１３】
本考案では、連結手段は、平坦部材収納具に形成された連結孔を有することが好ましい。
このように構成された本考案では、連結手段が連結孔を有するので、平坦部材収納具の連結孔同士に例えばリング等を通すことによって、複数の平坦部材収納具を連結することが可能になる。これにより、複数の平坦部材収納具を連結して展示したりまとめて保管することが可能になる。
【００１４】
本考案では、連結孔は、本体の開放された一端側の端部に、及び／又は本体の開放された一端側と他端側とを結んだ線に対して一方側または他方側の端部に、複数形成されていることが好ましい。
このように構成された本考案では、連結孔が、本体の開放された一端側の端部に、及び／又は本体の開放された一端側と他端側とを結んだ線に対して一方側または他方側の端部に、複数形成されているので、複数の平坦部材収納具を重ねた状態で複数の連通孔に例えばリング等を通すと、複数の平坦部材収納具を冊子状に束ねることができる。よって複数の平坦部材収納具をまとめて保管することが可能になるとともに、平坦部材収納具を１つずつめくって収納された平坦部材を確認することもでき、平坦部材の管理が容易になる。
【図面の簡単な説明】
【００１５】
【図１】本考案の一実施形態に係る平坦部材収納具の斜視図である。
【図２】本考案の一実施形態に係る平坦部材収納具の正面図である。
【図３】本考案の一実施形態に係る平坦部材収納具にうちわを収納した状態を示す正面図である。
【図４】本考案の一実施形態に係る平坦部材収納具を縦方向に連結した状態を示す正面図である。
【図５】図４の係合孔及び爪状部の部分の拡大図である。
【図６】図５のVI−VI線に沿って切断した断面図である。
【図７】本考案の一実施形態に係る平坦部材収納具を横方向に連結した状態を示す正面図である。
【図８】本考案の一実施形態に係る平坦部材収納具を積層して連結した状態を示す斜視図である。
【考案を実施するための形態】
【００１６】
以下、本考案の好ましい実施形態を添付図面を参照して説明する。
図１は、本考案の一実施形態に係る平坦部材収納具１の斜視図であり、図２は、平坦部材収納具１の正面図である。本発明において、平坦部材収納具１は、平坦部材を収納するための収納具であるが、本実施形態では、平坦部材としてうちわ１００（図３参照）を例に挙げ、以下に平坦部材収納具１の構造を説明する。
【００１７】
図１及び２に示すように、平坦部材収納具１は、略矩形状の前シート２及び後シート４を互いに貼り合わせることにより形成された本体６を有する。本体６は、透明材料で形成されており、略矩形状のシートを長さ方向に半分に折り、両端を互いに接合することによって形成されている。本実施形態では、本体６の折れ曲がり部分がある側を下側、その反対側を上側、前シート２及び後シート４の互いに接合された部分をそれぞれ左側及び右側として以下説明する。
【００１８】
このような形状により、本体６の下端６Ａはシートの折れ曲がり部分で構成され、左端６Ｂ及び右端６Ｃは前シート２及び後シート４が接合された部分で構成され、上端６Ｄは、開放されている。つまり、本体６は、３辺が互いに結合され、１辺が開放された、袋状に形成されている。
【００１９】
本体６の下端６Ａの略中央には、本体６の内部と外部とを連通する連通孔８が形成されている。連通孔８は、前シート２及び後シート４を円弧状に切り欠くことで形成されている。
また、本体の上端６Ｄ近傍には、前シート２及び後シート４に形成され左右方向（横方向）に延びる挿通孔としての長孔１０が形成されている。この長孔１０は、平坦部材収納具１内にうちわ１００を収納したときに、うちわ１００の上端よりも上方に、より好ましくは、うちわ１００を収納している包装袋１０２（図３）よりも上方に位置している。
【００２０】
本体６には、平坦部材収納具１を他の平坦部材収納具１とを連結するための連結手段として、係合孔１２、１４と、係合孔１２、１４に係合する爪状部１６、１８とを有する。
係合孔１２は、本体６の右下端及び左下端に形成された、略台形の孔である。係合孔１２は、前シート２に形成されており、台形の上辺が上側に、下辺が下側に向くように配置されている。後シート４においてこれらの係合孔１２に対応する位置には、係合孔１２を囲むように円形の包囲孔２０が形成されている。
【００２１】
係合孔１４は、本体６の右上端及び右下端に形成された、略台形の孔である。右上端の係合孔１４は、長孔１０よりも下の位置に形成され、右下端の係合孔１４は、右下端の係合孔１２よりも上の位置に形成されている。係合孔１４は、後シート４に形成されており、台形の上辺が右側に、下辺が左側に向くように配置されている。前シート２においてこれらの係合孔１４に対応する位置には、係合孔１４を囲むように円形の包囲孔２２が形成されている。
【００２２】
爪状部１６は、係合孔１２に係合するように、本体６の左上端及び右上端に形成されている。爪状部１６は、係合孔１２の上辺に係合するための第１爪状部２４と、係合孔１２の下辺に係合するための第２爪状部２６とを有する。
第１爪状部２４は、係合孔１２の上辺の長さに対応した、より具体的には上辺の長さより少し小さい寸法の幅を有するとともに、平坦部材収納具１を他の平坦部材収納具１に重ねたときに、係合孔１２の上辺に向かって突出するように、つまり本体２の上方に向かって突出するように形成された円弧状の突出部である。第１爪状部２４は、後シート４に円弧状の切り込みを入れることによって形成されている。
【００２３】
第２爪状部２６は、係合孔１２の下辺の長さに対応した、より具体的には下辺の長さより少し小さい寸法の幅を有するとともに、平坦部材収納具１を他の平坦部材収納具１に重ねたときに、係合孔１２の下辺に向かって突出するように、つまり本体２の下方に向かって突出するように形成された円弧状の突出部である。第２爪状部２６は、第１爪状部２４に対して下方に所定間隔をあけて、後シート４に円弧状の切り込みを入れることによって形成されている。
前シート２において爪状部１６が形成された位置には、爪状部１６を避けるように形成された切欠２８が形成されている。
【００２４】
爪状部１８は、係合孔１４に係合するように、本体６の左上端及び左下端に形成されている。左上端の爪状部１８は、長孔よりも下の位置に形成され、左下端の爪状部１８は、係合孔１２よりも上の位置に形成されている。爪状部１８は、係合孔１４の上辺に係合するための第１爪状部３０と、係合孔１４の下辺に係合するための第２爪状部３２とを有する。
第１爪状部３０は、係合孔１４の上辺の長さに対応した、より具体的には上辺の長さより少し小さい寸法の幅を有するとともに、平坦部材収納具１を他の平坦部材収納具１に重ねたときに、係合孔１４の上辺に向かって突出するように、つまり本体２の右側に向かって突出するように形成された円弧状の突出部である。第１爪状部３０は、後シート４に円弧状の切り込みを入れることによって形成されている。
【００２５】
第２爪状部３２は、係合孔１４の下辺の長さに対応した、より具体的には下辺の長さより少し小さい寸法の幅を有するとともに、平坦部材収納具１を他の平坦部材収納具１に重ねたときに、係合孔１４の下辺に向かって突出するように、つまり本体２の左側に向かって突出するように形成された円弧状の突出部である。第２爪状部３２は、第１爪状部３０に対して左側に所定間隔をあけて、後シート４に円弧状の切り込みを入れることによって形成されている。
前シート２において爪状部１８が形成された位置には、爪状部１８を囲むように形成された包囲孔３４が形成されている。
【００２６】
また、本体６には、平坦部材収納具１と他の平坦部材収納具１とを連結するための他の連結手段として、円形の連結孔３６，３８が形成されている。連結孔３６は、本体６の上端６Ｄ近傍に、横方向に沿って互いに所定間隔をあけて複数個（本実施形態では３つ）形成されている。連結孔３６は、長孔１０よりも上の位置で且つ２つの爪状部１６の間の位置に形成されている。
連結孔３８は、本体６の右端６Ｃ近傍で２つの係合孔１４の間の位置に、上下方向に沿って互いに所定間隔をあけて複数個（本実施形態では２つ）形成されている。
【００２７】
なお、係合孔１２，１４、爪状部１６，１８、及び連結孔３６，３８は、平坦部材収納具１内にうちわ１００を収納したときに、うちわ１００の外縁よりも外側に、より好ましくは、うちわ１００を収納している包装袋１０２の外縁よりも外側に位置している。
【００２８】
図３は、本実施形態に係る平坦部材収納具１にうちわ１００を収納した状態を示す正面図である。この図３に示すように、平坦部材収納具１にうちわ１００を収納する場合には、うちわ１００の柄１０４の部分を先に平坦部材収納具１に挿入する。連通孔８から外部に突出させると、扇部分１０６は、包装袋１０２とともに平坦部材収納具１内に収納される。扇部分１０６及び包装袋１０２が収納された状態で、長孔１０、係合孔１２，１４、及び爪状部１６，１８は、包装袋１０２よりも外側に位置する。
【００２９】
図４は、本実施形態に係る平坦部材収納具１を縦方向に連結した状態を示す正面図であるり、図５は、図４の係合孔１２及び爪状部１６の部分の拡大図であり、図６は、図５のVI−VI線に沿って切断した断面図である。これらの図４乃至図６に示すように、複数の平坦部材収納具１を上下方向（縦方向）に連結する際には、一方の平坦部材収納具１の下端に他方の平坦部材収納具１の上端を重ね、一方の平坦部材収納具１の係合孔１２に、他方の平坦部材収納具１の爪状部１６を係合させる。具体的には、図５及び図６に示すように、他方の平坦部材収納具１の爪状部１６を、一方の平坦部材収納具１の係合孔１２を通して、一方の平坦部材収納具１の表面側まで突出させ、第１爪状部２４を係合孔１２の台形の上辺から一方の平坦部材収納具１の前シート２よりも前方に位置させ、第２爪状部２６を係合孔１２の台形の下辺から一方の平坦部材収納具１の前シート２よりも前方に位置させる。
【００３０】
また、一方の平坦部材収納具１の連通孔８から突出するうちわ１００の柄１０４を、他方の平坦部材収納具１の長孔１０に、前シート２側から後シート側４に挿通し、一方の平坦部材収納具１に収納されたうちわ１００の柄１０４を、他方の平坦部材収納具１に収納されたうちわ１００の扇部分１０６の後側に位置させる。
これにより、一方の平坦部材収納具１と他方の平坦部材収納具１が互いに縦方向に連結される。
【００３１】
図７は、本実施形態に係る平坦部材収納具１を横方向に連結した状態を示す正面図である。この図７に示すように、複数の平坦部材収納具１を互いに左右方向（横方向）に連結する際には、一方の平坦部材収納具１の右端に他方の平坦部材収納具１の左端を重ね、一方の平坦部材収納具１の係合孔１４に他方の平坦部材収納具１の爪状部１８を係合させる。
【００３２】
図８は、本実施形態に係る平坦部材収納具１を積層して連結した状態を示す斜視図である。この図８に示すように、複数の平坦部材収納具１を積層して連結する場合には、複数の平坦部材収納具１を積層した状態で、２つの連結孔３８にそれぞれリング１１０を通す。これにより、複数の平坦部材収納具１を横方向に束ねることができ、冊子のように平坦部材収納具１をめくってうちわ１００を観賞することができる。
同様に、３つの連結孔３６にそれぞれリング１１０を通せば、複数の平坦部材収納具１を縦方向に束ねることができる。
【００３３】
以上のような実施形態によれば、以下のような効果が得られる。
本体６が袋状に形成されているので、うちわ１００を収納することができる。よってうちわ１００を傷つけることなく収納し、また、うちわ１００を傷つけることなく保管することができる。
【００３４】
また、本体６の他端側、つまり下端６Ａに連通孔８が形成されているので、うちわ１００の扇部分１０６を本体６に収納しながら、うちわ１００の柄１０４を連通孔から突出させることができる。よって、うちわ１００の最も傷つきやすい扇部分１０６を保護することができるとともに、平坦部材収納具１をコンパクトに形成することができる。よってうちわ１００の収納、保管がより簡単になる。
【００３５】
本体６が係合孔１２，１４と爪状部１６，１８とを有しているので、爪状部１６，１８を係合孔１２，１４に係合させることによって複数の平坦部材収納具１を連結することができる。よって、複数の平坦部材収納具１を連結した状態で部屋等に展示すれば、複数のうちわ１００を連結した状態で展示することができる。
【００３６】
係合孔１２，１４が略台形に形成され、爪状部１６，１８は、第１爪状部２４，３０と第２爪状部２６，３２とを有するので、平坦部材収納具１同士を連結する際には、第１爪状部２４，３０を係合孔１２，１４の台形の上辺に係合させ、第２爪状部２６，３２を下辺に係合させる。第１爪状部２４，３０が係合孔１２，１４の上辺に対応する幅に形成され、第２爪状部２６，３２が下辺に対応する幅に形成されているので、第１及び第２の爪状部２４，２６，３０，３２をどちらの向きに係合させるかわかりやすくなり、平坦部材収納具１を簡単に連結することができる。
【００３７】
係合孔１２，１４及び爪状部１８には、これらの係合孔１２，１４及び爪状部１８を囲むように包囲孔２０，２２，３４が形成され、また、爪状部１６には、爪状部１６を避けるように切欠２８が形成されているので、平坦部材収納具１の一部を他の平坦部材収納具１の一部に重ねて爪状部１６，１８を係合孔１２，１４に係合させる際、爪状部１６，１８が係合する必要があるシートの枚数が低減する。したがって爪状部１６，１８が係合孔１２，１４に係合しやすくなり、両者をより強固に連結することができる。
【００３８】
係合孔１２を、本体６の下端６Ａに形成し、爪状部１６を本体６の上端６Ｄに形成したので、複数の平坦部材収納具１を縦方向に連結することができる。よって複数の平坦部材収納具１を縦方向に並べて展示することができる。また、この際、本体６の上端６Ｄ側に長孔１０が形成されているので、平坦部材収納具１を縦方向に連結して並べた際に、うちわ１００の柄１０４を長孔１０に前方向から後ろ方向に挿通することにより、上のうちわ１００の柄１０４を下のうちわ１００の扇部分１０６の裏面側に配置することができる。これにより、下のうちわ１００の扇部分１０６の模様を上のうちわ１００の扇部分１０６の柄１０４が隠してしまうのを防止することができ、平坦部材収納具１を縦方向に連結した場合でもうちわ１００の良い外観を確保することができる。また、うちわ１００の柄１０４によっても上下の平坦部材収納具１を連結することができるので、上下の平坦部材収納具１の連結をより強固にすることができる。
【００３９】
係合孔１４を本体６の右端６Ｃに形成し、爪状部１８を本体６の左端６Ｂに形成したので、複数の平坦部材収納具１を横方向に連結することができる。よって複数の平坦部材を横方向に並べて展示することができる。
【００４０】
本体６に連結孔３６，３８を形成したので、複数の平坦部材収納具１の連結孔３６，３８同士にリング１１０によって冊子状に束ねることができる。よって、複数の平坦部材収納具を連結して展示したりまとめて保管することができる。
ここで、連結孔３６は、本体６の右端６Ｃに２つ設けられ、連結孔３８は本体６の上端６Ｄに３つ設けられているので、複数の平坦部材収納具１を冊子状に横に、または縦に束ねることができる。平坦部材収納具を１つずつめくって収納されたうちわ１００を確認することもでき、うちわ１００を容易に管理することができる。
【００４１】
本考案は、以上の実施の形態に限定されることなく、例えば、以下のような態様であってもよい。
連結手段は、係合孔及び爪状部の構造や、連結孔の構造に限らず、任意の連結構造を採用することができる。また、係合孔及び爪状部並びに連結孔の配置は、任意に設定することができる。１つの平坦部材収納具が係合孔及び爪状部の両方を有するものに限らず、２つの平坦部材収納具のうち一方が係合孔を有して他方が爪状部を有するものであってもよい。
また、連結手段は、平坦部材収納具を縦方向及び横方向の両方に連結するものに限らず、縦方向及び横方向の少なくとも一方に連結するものであってもよく、任意の方向に連結するものであってもよい。
包囲孔及び／又は切欠は、係合孔及び／又は爪状部に対して形成されていればよく、また前シート及び後シートのいずれか一方に形成されていればよい。
【００４２】
本発明の平坦部材収納具は、必ずしも連結手段や挿通孔を有していなくても良く、少なくとも袋状の本体と連通孔を有し、平坦部材を収納可能に構成されていればよい。
また、本発明の平坦部材は、うちわに限らず、例えば色紙やプレート等、平坦な部材であればよく、また連通孔に挿入される突出部を有していなくてもよい。
【符号の説明】
【００４３】
１  平坦部材収納具
２  前シート
４  後シート
６  本体
８  連通孔
１０  長孔（挿通孔）
１２，１４  係合孔
１６，１８  爪状部
２４，３０  第１爪状部
２６，３２  第２爪状部
２０，２２，３４  包囲孔
２８  切欠
３６，３８  連結孔
１００  うちわ
１０４  柄
１０６  扇部分
【図１】
0003209081.tif 000003
【図２】
0003209081.tif 000004
【図３】
0003209081.tif 000005
【図４】
0003209081.tif 000006
【図５】
0003209081.tif 000007
【図６】
0003209081.tif 000008
【図７】
0003209081.tif 000009
【図８】
0003209081.tif 000010